(57)【要約】【課題】救助者が吹込んだ息が周囲に漏れることなく、十分な量の空気を傷病者に送り込むことができる人工呼吸用補助具を提供する。【解決手段】中央部に通気用貫通部３を有するシート１と、シート１に取り付けられたマウスピース２とを有し、マウスピース２は、救助者の口に挿入される上半体５と、傷病者の口に挿入される下半体６とを有している。上半体５は、内側に空気溜り２１を形成する連続した立壁９と、下面がシート１における通気用貫通部３の周縁部に接触する通路面１２を備えた通路形成部１１と、救助者からの空気ａを、通路面１２を経て通気用貫通部３に導入する導入孔１４とを有する。【選択図】図４
2008012289.tif 000002
【特許請求の範囲】
【請求項１】
中央部に通気用貫通部を有し、傷病者の口の周囲に被せられる柔軟なシートと、
前記シートに取り付けられ、救助者から傷病者に向かう空気を、前記通気用貫通部を通して通過させるマウスピースとを有し、
前記マウスピースは、救助者の口に挿入される上半体と、傷病者の口に挿入される下半体とを有し、
前記上半体と下半体は、前記シートの中央部を挟んだ状態で互いに嵌合しており、
前記上半体は、内側に空気溜りを形成する連続した立壁と、下面が前記シートにおける通気用貫通部の周縁部に接触する通路面を備えた通路形成部と、救助者から傷病者に向かう空気を、前記通路面を経て通気用貫通部に導入する導入孔とを有する人工呼吸用補助具。
【請求項２】
請求項１において、前記導入孔における前記通路面寄りの部分に上方から下方に向かって通路面側に近づく方向に傾斜した傾斜面が形成されている人工呼吸用補助具。
【請求項３】
請求項１において、前記通気用貫通部は十字状のスリットを有している人工呼吸用補助具。
【請求項４】
請求項１において、前記上半体に一対の係合ピンが、下半体に前記係合ピンが係合する一対の係合孔が、前記シートに前記係合ピンを挿通させる挿通孔が、それぞれ設けられている人工呼吸用補助具。
【請求項５】
請求項４において、前記マウスピースは平面視で細長い形状であり、前記一対の係合ピンが長手方向に並んでいる人工呼吸用補助具。
【請求項６】
請求項５において、前記上半体は、前記長手方向に対向する２対の前記導入孔を有し、前記各対の導入孔の間に、前記シートの上方への変形を抑制する渡り部が形成されている人工呼吸用補助具。
【請求項７】
請求項１から６のいずれか一項において、前記上半体と下半体の一方の外周部に周方向に連続した嵌合突起が、他方に前記嵌合突起が嵌合する周方向に連続した嵌合凹所がそれぞれ形成され、前記嵌合突起の突出先端の角部が丸みを持ったアール部であり、このアール部と嵌合凹所の隅部との間にシートのたるみ部を収容する収納室が形成されている人工呼吸用補助具。
【請求項８】
請求項４において、前記シートの通気用貫通部は、各挿通孔から他方の挿通孔に向かって延びる一対の縦スリットと、各縦スリットの先端に連なり、縦スリットと直交する方向に延びる一対の横スリットとを有し、各縦スリットと横スリットとがＴ字形を呈している人工呼吸用補助具。
【請求項９】
請求項８において、前記一対の挿通孔の内径が前記一対の係合ピンの外径よりも大きく設定され、前記一対の挿通孔の間隔が前記一対の係合ピンの間隔よりも小さく設定されている人工呼吸用補助具。
【請求項１０】
請求項８または９において、さらに、前記シートに、前記各挿通孔から前記通気用貫通部より離れる方向に延びる外側スリットを有する人工呼吸用補助具。
【発明の詳細な説明】
【技術分野】
【０００１】
本発明は、救急時の人工呼吸法である呼気吹込み人工呼吸（マウスツーマウス）を行うに際し、救助者の口を傷病者の口に直接接触させることなく行える人工呼吸用補助具の改良に関する。
【背景技術】
【０００２】
周知のとおり、心肺蘇生法は、例えば、意識障害、呼吸停止、心停止またはこれに近い状態に陥った傷病者を救助するための効果的な救急蘇生法として知られている。この心肺蘇生法によれば、傷病者の鼻孔を塞いで、救助者の口を傷病者の口に直接接触させ、呼気（空気）が外部に漏れ出ないよう救助者が傷病者の気道内に、空気を直接吹込んでマウスツーマウス人工呼吸を行い、かつ、この人工呼吸と心臓マッサージとを交互に行う。
【０００３】
しかし、前記マウスツーマウス人工呼吸法の場合、救助者の口が傷病者の口に直接触れるため、傷病者と救助者との間で病気が感染するおそれがある。そこで、マウスツーマウス人工呼吸法における病気の感染を防止する目的で、救助者の口が傷病者の口に直接触れないようにした人工呼吸用補助具が提案されている。
【０００４】
このような人工呼吸用補助具として、従来、傷病者の口の周辺を覆う樹脂製のビニールシートからなる柔軟なカバーの中央部に呼気吹込み口を設け、この吹込み口に傷病者に咥えさせるマウスピースを設け、さらに逆流防止用の弁を別途設けることなく、カバーに設けた前記吹込み口に弁作用を行わせるものがある（特許文献１）。すなわち、カバーにおける吹込み口の周辺部分をマウスピースに接触させ、呼気の圧力でこの周辺部分をマウスピースから浮かせて呼気の通路を形成させるものがある。この人工呼吸用補助具は、カバーと別体の弁体を必要としない極めて簡単な構造で安価である。
【特許文献１】米国特許第３，６２６，９３６号明細書
【発明の開示】
【発明が解決しようとする課題】
【０００５】
ところが、この人工呼吸用補助具は、呼気吹込み時の抵抗が大きいうえに、救助者に面する側には救助者の口に咥えるマウスピースがなく、吹込み口に口を当てて息を吹き込む必要があるために、息を吹き込みにくい。また、傷病者が無意識に体をくねらせるなどして頭を左右に移動させると、接触させた救助者の口が正面から位置ずれするので、吹込み口の位置がわかりにくくなり、傷病者に対する人工呼吸に支障をきたす。
【０００６】
そこで、本発明は、救助者が吹込んだ息が周囲に漏れることなく、十分な量の空気を傷病者の気道内に容易に送り込むことができる人工呼吸用補助具を提供することを目的とする。
【課題を解決するための手段】
【０００７】
上記目的を達成するために、本発明の人工呼吸用補助具は、中央部に通気用貫通部を有し、傷病者の口の周囲に被せられる柔軟なシートと、前記シートに取り付けられ、救助者から傷病者に向かう空気を、前記通気用貫通部を通して通過させるマウスピースとを有し、前記マウスピースは、救助者の口に挿入される上半体と、傷病者の口に挿入される下半体とを有し、前記上半体と下半体は、前記シートの中央部を挟んだ状態で互いに嵌合しており、前記上半体は、内側に空気溜りを形成する連続した立壁と、下面が前記シートにおける通気用貫通部の周縁部に接触する通路面を備えた通路形成部と、救助者から傷病者に向かう空気を、前記通路面を経て通気用貫通部に導入する導入孔とを有している。
【０００８】
この構成によれば、救助者の息（空気）が吹込まれないときには、前記シートは、通気用貫通部の周縁部である広い面積の部分が通路形成部に密着し、傷病者からの息（空気）を救助者側の上半体へ逆流させない逆止弁としての役割を果たすので、弁体が不要となって構造が簡素化し、コストダウンになる。救助者の口に挿入して息を吹込む上半体が内側に空気溜りを形成する連続した立壁として外部に突出しているので、救助者が傷病者に対して人工呼吸を行う際に前記上半体を探し易く、かつ救助者の口に挿入して咥えやすい。したがって、傷病者が無意識に体をくねらせるなどして頭を左右に移動させても、上半体を見失うおそれがないので、緊急時の人工呼吸に迅速に対応できる。また、救助者の口に上半体が挿入されると、救助者からの呼気（空気）は一旦、空気溜りに溜ってから導入孔を経て通路形成部の通路面、続いてシートの通気用貫通部に入り込み、この通気用貫通部から傷病者の口に挿入される下半体に入り込んで傷病者の気道内に送り込まれるので、空気が外部へ漏れ出るおそれがなく、効率的な人工呼吸が行える。
【０００９】
前記導入孔における前記通路面寄りの部分に上方から下方に向かって通路面側に近づく方向に傾斜した傾斜面を形成するのが好ましい。これにより、吹込まれた救助者の呼気が傾斜面に沿って、シートと通路面との間に円滑に送り込まれ、シートを下方に押し広げて開弁するように空気流路を形成し、通気用貫通部を通って傷病者に空気を効率的に送り込むことができる。  
【００１０】
前記通気用貫通部は、例えば十字状のスリットとすることができ、これにより、構造が簡単化される。
【００１１】
本発明の好ましい実施形態では、前記上半体の導入孔における前記通路面寄りの部分に、上方から下方に向かって通路面側に近づく方向に、つまり、中心に近づく方向に傾斜した傾斜面が形成されている。この構成によれば、吹込まれた救助者の息（空気）が、傾斜面に沿って、シートを下方に押し広げて開弁するように空気流路を形成して流れ込むので、続いて吹込まれる空気を通気用貫通部へ容易に導くことができ、傷病者に空気を効率的に送り込むことができる。
【００１２】
本発明の好ましい実施形態では、前記上半体に一対の係合ピンが、下半体に前記係合ピンが係合する一対の係合孔が、前記シートに前記係合ピンを挿通させる挿通孔が、それぞれ設けられている。この構成によれば、上半体の一対の係合ピンを下半体の一対の嵌合孔に嵌合させることで上半体と下半体の組立てが容易となり、人工呼吸用補助具の使用時における上半体と下半体の分離を阻止し、合わせてシートを前記上半体と下半体との間に離脱しないよう保持させることができる。これにより、この人工呼吸用補助具を使って救助者が傷病者に人工呼吸を行うとき、前記シートの離脱という事態を回避することができる。
【００１３】
本発明の好ましい実施形態では、前記マウスピースは平面視で細長い形状、例えば長円形状であり、前記一対の係合ピンが長手方向に並んでいる。この構成によれば、マウスピースが平面視で細長い形状であることで、横長形状の傷病者の口によく適合させることができ、傷病者の口とマウスピースとの間の隙間をなくすことができて空気が漏れ出るのを防止できる。また、一対の係合ピンを並べるスペースができるから、マウスピースを長軸方向（長手方向）に大きくする必要がなくなるので、一対の係合ピンを短軸方向に並べる場合に比べ、人工呼吸用補助具をよりコンパクトにできる。
【００１４】
本発明の好ましい実施形態では、前記上半体は、前記長手方向に対向する２対の前記導入孔を有し、前記各対の導入孔の間に、前記シートの上方への変形を抑制する渡り部が形成されている。この構成によれば、上半体を口に挿入した救助者からの呼気（空気）を２対の導入孔を通してシートと上半体の通路形成部との間に均等に吹込むことができる。また、シートに傷病者からの呼気の風圧が付加されたとき、前記シートが渡り部にて支持され、上半体側へ深く入り込むことがないので、シートの大きな変形が抑えられて破損のおそれを低減できる。
【００１５】
本発明のさらに好ましい実施形態では、前記上半体と下半体の一方の外周部に周方向に連続した嵌合突起が、他方に前記嵌合突起が嵌合する周方向に連続した嵌合凹所がそれぞれ形成され、前記嵌合突起の突出先端の角部が丸みを持ったアール部であり、このアール部と嵌合凹所の隅部との間にシートのたるみ部を収容する収納室が形成されている。
【００１６】
この構成によれば、上半体と下半体とをシートを挟んで嵌合したとき、シートのたるみ部が収納室に収容されるので、シートがしわになりにくい。これにより、シートの破れが防止される。
【００１７】
本発明の他の実施形態では、前記シートの通気用貫通部は、各挿通孔から他方の挿通孔に向かって延びる一対の縦スリットと、各縦スリットの先端に連なり、縦スリットと直交する方向に延びる一対の横スリットとを有し、各縦スリットと横スリットとがＴ字形を呈している。
【００１８】
この構成によれば、この人工呼吸用補助具を使って救助者が傷病者に人工呼吸を行うに際し、救助者の呼気（空気）を吹き込むと、縦スリットと横スリットと挿通孔とで形成される２対のスリット群を通して、前述と同様、救助者からの呼気（空気）が傷病者の気道に送り込まれる。ここで、縦スリットが係合ピン挿通用の挿通孔に連なっているから、通気用貫通部が大きく開くので、吹き込み力が小さくて済み、人工呼吸を楽に行うことができる。また、シートにおける一対の横スリットで挟まれた中央連結部にはスリットが存在しないから、空気が通る際にシートが大きく変形して係合ピンから離脱するのを回避することができる。
【００１９】
本発明のさらに他の実施形態では、前記一対の挿通孔の内径が前記一対の係合ピンの外径よりも大きく設定され、前記一対の挿通孔の間隔が前記一対の係合ピンの間隔よりも小さく設定されている。
【００２０】
この構成によれば、一対の挿通孔の間隔が前記一対の係合ピンの間隔よりも小さく設定されているから、上半体と下半体とをシートを挟んで嵌合したとき、シートは係合ピンにより外側方向へ張力が働き、緊張状態となる。しかも、挿通孔の内径が係合ピンの外径よりも大きいため、挿通孔の内側寄りに僅かな隙間が形成される。したがって、救助者からの呼気（空気）が止まったとき、開弁状態から閉弁状態に戻る際に、縦スリットの根元部の角部、つまり、挿通孔に連通する部分を形成する角部が、前記係合ピンに引っ掛かって半開弁状態となることがなく、確実に閉弁される。したがって、救助者側への傷病者からの息（空気）の逆流を確実に防止することができる。
【００２１】
また、好ましくは、前記シートに、前記挿通孔から、前記通気用貫通部より離れる方向に延びる外側スリットを有する。この構成によれば、救助者の呼気（空気）を吹き込むと、通気用貫通部は、外側スリットの外端と横スリット先端とを結ぶ部位を折れ目として、スリット周辺の部分（舌片）が変形して開弁する。つまり、前記外側スリットがない場合には、挿通孔と横スリット先端とを結ぶ部位を折れ目として開弁するので、これに比べて、折れ目が長くなる分、開弁しやすくなり、人工呼吸を一層無理なく楽に行える。
【発明の効果】
【００２２】
本発明に係る人工呼吸用補助具によれば、マウスピースおよびシートと別体の弁体が不要なので、構造が簡単で安価となる。救助者の口に挿入して息を吹込む上半体が内側に空気溜りを形成する連続した立壁として外部に突出しているので、救助者が傷病者に対して人工呼吸を行う際に前記上半体を探し易く、かつ救助者の口に挿入して咥えやすい。したがって、緊急時の人工呼吸に迅速に対応できる。また、救助者からの呼気（空気）は一旦、上半体の空気溜りに溜ってから導入孔を経て通路形成部の通路面、続いてシートの通気用貫通部に入り込み、この通気用貫通部から傷病者の口に挿入される下半体に入り込んで傷病者の気道内に送り込まれるので、空気が外部へ漏れ出るのが抑制され、効率的な人工呼吸が行える。
【発明を実施するための最良の形態】
【００２３】
以下、本発明に係る人工呼吸用補助具の好ましい実施形態について図面を参照しながら説明する。図１は本発明の第１実施形態に係る人工呼吸用補助具の正面図である。同図に示すように、人工呼吸用補助具Ａは、柔軟な樹脂製の透明なシート１と、このシート１の中央部に取り付けられたマウスピース２とを備えている。図２に示すように、前記シート１は、ほぼ四角形状の柔軟で透明なプラスチックフィルムから形成され、その中央部に通気用貫通部３を有し、この通気用貫通部３を挟んでその両側に図６で示す係合ピン７，７が挿通される一対の挿入孔４，４を有している。拡大した図３に示すように、前記通気用貫通部３は十字状のスリット３０（４本のスリット）で形成され、各スリット３０間が弁体として作用する三角形状の舌片４０となっている。
【００２４】
図１に示すマウスピース２は、救助者から傷病者に向かう空気ａを通過させ、その逆方向への空気ａの通過を阻止するもので、救助者の口に挿入される上半体５と、傷病者の口に挿入される下半体６とを有する。前記上半体５および下半体６は樹脂製であり、底面図である図５に示すようにいずれも金型によって、平面視で細長い形状、例えば、長円形状の筒体に形成されており、救助者および傷病者の口の形状によく適合して傷病者の口に挿入しやすく、かつ救助者および傷病者の口とマウスピース２との間の隙間をなくして救助者からの呼気を漏れにくくしている。
【００２５】
図４は、同人工呼吸用補助具Ａの正面断面図である。同図に示すように、マウスピース２の上半体５には一対の係合ピン７，７が、下半体６には前記係合ピン７，７が係合する一対の係合孔８，８が設けられ、前記係合ピン７，７が前記シート１の挿通孔４，４（図２）を挿通して前記係合孔８，８に嵌合されることで前記上半体５と下半体６とが弾性変形により連結されている。
【００２６】
図６はマウスピース２の上半体５の底面図を示す。同図に示すように、上半体５は、周方向に連続した立壁９およびその外周に突出したフランジ１６が設けられている。図４に示すように、フランジ１６の下方は、立壁９に連続した環状の嵌合突起１７となっている。上半体５の底面には、長手方向に並んだ一対の係合ピン７，７が設けられている。図４に示すように、前記嵌合突起１７の突出先端の角部は丸みを持ったアール部１７ａとなっている。
【００２７】
また、図６に示すとおり、この上半体５には、長手方向に対向する２対の導入孔２２が設けられ、両対２２，２２の間（長手方向のスペース）に平板状の通路形成部１１が設けられ、これら各対の導入孔２２の間（短軸方向のスペース）に、前記シート１の上方への変形を抑制するための渡り部２３が設けられている。図５に示すように、十字状のスリット３０はこの通路形成部１１のエリア内に収まる大きさに設定されている。十字状のスリット３０の長手方向の長さＬ１とこれに直交する方向の長さＬ２は、挿通孔４，４の間隔Ｅに対し、Ｌ１＝０．３〜０．４、Ｌ２＝０．４〜０．５とするのが、開弁硬さを適切にするために好ましい。
【００２８】
前記通路形成部１１の下面は図４に示すように、シート１における通気用貫通部３の周縁部３０ａ（図３）に接触する通路面１２となっている。また、上半体５には、内側に空気溜り２１を形成する連続した立壁９と、導入孔２２における前記通路面１２寄りの部分、つまり長手方向中心寄りの部分に、上方から下方に向かって通路面１２側に近づくＰ方向に傾斜した傾斜面１５が形成されている。傾斜面１５の鉛直方向に対する傾斜角度θは１０〜４５°、好ましくは１５〜３０°である。この傾斜面１５はまた、図５に示す長手方向と直交する方向の内側に向かって長手方向外側寄りのＱ方向に傾斜している。前記傾斜面１５の図４に示すＰ方向および図５に示すＱ方向への傾斜により、救助者からの呼気ａがスリット３０の中心に向かうようにガイドされる。２本のスリット３０はマウスピース２の長手方向に沿って直線的に延び、他の２本のスリット３０は長手方向と直交する方向に沿って直線的に延びている。
【００２９】
図７は、マウスピース２の下半体６の底面図を示す。同図に示すように、下半体６には四角柱状の左右一対のボス５１，５１が一体形成されており、このボス５１に、上半体５の係合ピン７，７（図４）に係合する一対の係合孔８，８が上下方向に貫通して設けられている。図８に示すように、下半体６には、上下に開口した筒体１８が形成されており、この筒体１８の上端には、外側に突出した環状の突出部１９が形成され、この突出部１９の内側に、前記上半体５の嵌合突起１７（図４）が嵌合する周方向に連続した嵌合凹所２０が形成されている。前記ボス５１，５１は、筒体１８の内面に突設されている。各ボス５１の上面５１ａは嵌合凹所２０の底面よりも下方に配置されており、嵌合凹所２０との間に隙間５２が設けられている。
【００３０】
前記係合孔８，８の上部には内側に突出した環状の係止突条２５，２５がそれぞれ設けられ、図４の上半体５の係合ピン７，７を係合孔８，８に係合したときに、この係合ピン７，７の環状係止溝７ａに係止して、係合ピン７，７が係合孔８，８から容易に抜け出るのを防止している。また、下半体６には、図８に示すように、中央部の短軸方向に延びるブリッジ２４が筒体１８の対向壁間に架け渡されており、これによって、下半体６の剛性を向上させている。
【００３１】
このように構成された上半体５と下半体６は、図２のシート１の一対の挿入孔４，４に図４の上半体５の係合ピン７，７を挿通し、さらにこれらの係合ピン７，７を下半体６の係合孔８，８に係合することで前記シート１を前記上半体５と下半体６との間から離脱しないよう保持して連結することにより、図１に示すような人工呼吸用補助具Ａとすることができる。このとき、図４の上半体５の嵌合突起１７が下半体６の嵌合凹所２０に嵌合して、嵌合突起１７の外周面および底面ならびにフランジ１６の底面と、嵌合凹所２０の内周面および底面ならび突出部１９の上端面との間でシート１を挟持するが、嵌合凹所２０の隅部はアール（丸味）がないので、嵌合突起１７のアール（丸味）部１７ａと嵌合凹所２０の隅部との間に前記シート１のたるみ部を収容する収納室２７が形成される。これにより、シート１にしわができにくくなり、シートの破れが防止される。
【００３２】
上記構成の人工呼吸用補助具Ａの使用においては、図９に示すように、マウスピース２の下半体６を傷病者の口にくわえさせると共に、シート１で傷病者の鼻４１、顎４２を含む顔の大部分を覆い、上半体５を救助者が口にくわえて、図４の上半体５の空気溜り２１内に呼気（空気ａ）を吹込む。これにより、空気ａが導入孔２２の傾斜面１５から入り込み、通路面１２とこれに接触しているシート１との間を押し広げるように空気の流路２９を形成し、シート１の舌片４０を押し曲げて通気用貫通部３を開放し、この通気用貫通部３を通って下半体６に入り、ここから傷病者の気道内に送り込むことができる。このとき、救助者からの呼気（空気）は一旦、立壁９の内側に形成された空気溜り２１に入るから、外部に漏れにくくなり、効率的な人工呼吸が行える。
【００３３】
また、通気用貫通部３に設けられた図３の十字状スリット３０により柔軟な舌片４０が形成されているから、救助者から吹込まれた空気ａの風圧によって、図４に示すように、花弁が開くように舌片４０が下方へ変形して開弁状態となる。このとき、舌片４０は、隣接するスリット３０，３０の根元部同志を結んだ図５の破線ｆで示す部位を折れ目として折れ曲がるように変形して、大きく開弁する。こうして、救助者の口が傷病者の口に直接触れることがなく、しかも救助者からの呼気を周囲に漏らすことがなく、効率的に傷病者に救助者の呼気を送り込むことができる。
【００３４】
また、救助者の口に挿入して息を吹込む上半体５がシート１から上方へ突出しているので、救助者が傷病者に対して人工呼吸を行う緊急時において、上半体５をすばやく見つけることができて探し易く、かつ咥えやすい。したがって、傷病者が無意識に体をくねらせるなどして頭を左右に移動させても、吹込み口である上半体５を見失うおそれがなく、容易に人工呼吸が行える。
【００３５】
導入孔２２には、通路形成部１１の通路面１２寄りの部分に上方から下方に向かって通路面１２側に近づく方向Ｐに傾斜した傾斜面１５が形成されているので、吹込まれた救助者の呼気（空気ａ）が傾斜面に沿って、シート１と通路面１２との間に円滑に送り込まれ、シート１を下方に押し広げて開弁するように空気流路２９を形成し、通気用貫通部３を通って傷病者に空気ａを効率的に送り込むことができる。救助者の呼気（空気ａ）が吹込まれないときには、前記シート１は通路面１２に密着し、傷病者からの息（空気ａ）を救助者側の上半体５へ逆流させない逆止弁としての役割を果たす。したがって、従来のような別体の弁体が不要となって、構造が簡素化し、コストダウンになる。通気用貫通部３は単なる切り目であるスリット３０により形成されているから、貫通部とは異なり、閉弁状態でスリット３０が完全に閉じるので、逆流防止が効果的になされる。
【００３６】
また、マウスピース２は平面視で長円形状のような細長い形状であって、一対の係合ピン７，７がスペース的に余裕のある長手方向に並んでいるので、一対の係合ピン７，７を短軸方向に並べる場合に比べて、短軸方向の寸法の増大を抑制してコンパクトとなる。
【００３７】
さらに、図６に示す上半体５は、長手方向に対向する２対の導入孔２２を有し、両対の導入孔２２の間に渡り部２３が形成されているので、傷病者からの息（空気ａ）が下半体６内に入り込んだとき、この空気ａの風圧によってシート１が渡り部２３に押さえつけられて支持される。これにより、シート１の大きな変形が抑制されて破損のおそれを低減できる。
【００３８】
なお、通気用貫通部３としては、１本または３本、あるいは５本以上のスリットを使用してもよいし、単なる孔のみとしてもよい。
【００３９】
本発明の第２実施形態に係る人工呼吸用補助具について説明する。この第２実施形態では、前記第１実施形態と比べて通気用貫通部の構成のみが異なり、その他の構成は共通するので、相違点についてのみ説明する。以下、相違点であるシート１の通気用貫通部３Ａについて、図１０を参照しながら説明する。同図に示すように、通気用貫通部３Ａはシート１のほぼ中央部に位置し、係合ピン７，７（図６）が挿通される一対の挿通孔４Ａ，４Ａを有している。拡大した図１１に示すように、各挿通孔４Ａから他方の挿通孔４Ａに向かって延びる一対の縦スリット３０Ａ，３０Ａと、各縦スリット３０Ａの先端に連なり、縦スリット３０Ａと直交する方向に延びる一対の横スリット３０Ｂ，３０Ｂとを有し、これらの縦スリット３０Ａ，３０Ａと横スリット３０Ｂ，３０ＢとがＴ字形を呈している。一対の横スリット３０Ｂ，３０Ｂ間は、中央連結部３０Ｘとしてスリットを入れることなく残している。シート１には、挿通孔４Ａ，４Ａから、前記通気用貫通部３Ａより離れる方向に延びて、３０Ａの延長線上に位置する外側スリット３０Ｃが形成されている。したがって、この外側スリット３０Ｃは、挿通孔４Ａに対して通気用貫通部３Ａと反対側に位置する。
【００４０】
挿通孔４Ａ、縦スリット３０Ａ，３０Ａと横スリット３０Ｂ，３０Ｂおよび係合ピン７の寸法関係は、図１１に示すように、挿通孔４Ａの内径Ｄが係合ピン７の外径ｄよりも若干大きく設定されている。この場合、Ｄ＝１．２ｄである。Ｄ＝１．１〜１．３ｄの範囲が好ましい。挿通孔４Ａ，４Ａおよび横スリット３０Ｂ，３０Ｂのそれぞれの線対称線である中間線Ｍは係合ピン７，７の中間線Ｍと合致している。挿通孔４Ａ，４Ａの間隔Ｅは係合ピン７，７の間隔ｅよりも小さく設定されている。この場合、Ｅ＝０．９８ｅである。Ｅ＝０．９７〜０．９９ｅの範囲が好ましい。寸法関係をこのように設定したことで、図４の上半体５と下半体６との間にシート１を挟んで嵌合したとき、シート１に係合ピン７，７により外側方向へ張力が作用するので、シート１は緊張状態に装着される。この状態で、係合ピン７が挿通孔４Ａの外側寄りに圧接し、挿通孔４Ａの内側寄り、すなわち、中心線Ｍに近い側には、隙間Ｃが形成される。
【００４１】
横スリット３０Ｂ，３０Ｂの間隔Ｗ、すなわち、横スリット３０Ｂ，３０Ｂで挟まれた中央連結部３０Ｘの幅Ｗは、挿通孔４Ａ，４Ａの間隔Ｅに対して、Ｗ＝０．２４Ｅである。Ｗ＝０．２２〜０．２６Ｅの範囲が好ましい。横スリット３０Ｂの長さＨは、Ｈ＝０．５５Ｅであり、横スリット３０Ｂの中間点に縦スリット３０Ａの先端が接続されている。Ｈ＝０．４５〜０．６５Ｅの範囲が好ましい。前記横スリット３０Ｂ，３０Ｂの間隔Ｗおよび長さＨの範囲は、開弁硬さを適切に保つ要請から決まる。
【００４２】
このように第２実施形態に係る通気用貫通部３Ａを備えたシート１は、シート１の挿通孔４Ａ，４Ａに図４の係合ピン７，７が挿通され、上半体５と下半体６との間に装着されることで、マウスピース２となる。この状態で、底面図である図１２に示すように、縦スリット３０Ａは上半体５の通路形成部１１および渡り部２３のエリア内に位置し、横スリット３０Ｂは通路形成部１１のエリア内に位置する。縦スリット３０Ａはマウスピース２の長手方向に延び、横スリット３０Ｂは長手方向と直交する方向に延びている。
【００４３】
この第２実施形態の通気用貫通部３Ａを有するシート１を用いた人工呼吸用補助具Ａを使って救助者が傷病者に人工呼吸を行うに際し、救助者の呼気（空気）を吹き込むと、縦スリット３０Ａ、３０Ａと横スリット３０Ｂ，３０Ｂと挿通孔４Ａ，４Ａとで区画される舌片４０Ａが開くように押し曲げられて、通気用貫通部３Ａが開放され、この通気用貫通部３Ａを通して、前述の第１実施形態の場合と同様に、傷病者の気道に空気が送り込まれる。ここで、縦スリット３０Ａ、３０Ａが係合ピン挿通用の挿通孔４Ａ，４Ａに連なっているから、通気用貫通部３Ａが大きく開くので、吹き込み力が小さくてすみ、人工呼吸を楽に行うことができる。また、シート１における一対の横スリット３０Ｂ，３０Ｂで挟まれた中央連結部３０Ｘにはスリットが存在しないから、空気が通る際に、シート１が大きく変形して係合ピン７から離脱するのを回避することができる。
【００４４】
しかも、前述のように、一対の挿通孔４Ａの内径Ｄが前記一対の係合ピン７の外径ｄよりも大きく設定され、前記一対の挿通孔４Ａの間隔Ｅが前記一対の係合ピン７の間隔ｅよりも小さく設定されているから、上半体５と下半体６とをシート１を挟んで嵌合したとき、シート１は、係合ピン７により外側方向へ張力が働き、緊張状態となる。しかも、挿通孔４Ａの内径Ｄが係合ピン７の外径ｄよりも大きいため、挿通孔４Ａの内側寄りに僅かな隙間Ｃが形成される。したがって、救助者からの呼気（空気）が止まったとき、開弁状態から閉弁状態に戻る際に、縦スリット３０Ａの根元部の角部４５、つまり、挿通孔４Ａに連通する部分を形成する角部が、前記係合ピン７に引っ掛かって半開弁状態となることがなく、確実に閉弁される。したがって、救助者側への傷病者からの息（空気）の逆流を確実に防止することができる。
【００４５】
また、図１１に示すように、挿通孔４Ａに外側スリット３０Ｃが形成されているので、救助者の呼気（空気）を吹き込むと、挿通孔４Ａを介して外側スリット３０Ｃと横スリット３０Ｂ先端とを結ぶ破線αで示す部位を折れ目として舌片４０Ａが開いて開弁する。つまり、前記外側スリット３０Ｃがない場合には、縦スリット３０Ａは挿通孔４Ａと横スリット３０Ｂの先端とを結ぶ破線βで示す部位を折れ目として舌片４０Ａが開くので、これに比べて、この実施形態では、折れ目αが長くなる分、舌片４０Ａが大きくなって開弁しやすくなる。これにより、救助者が傷病者に人工呼吸を行うに際し、救助者の呼気（空気）の吹き込みが無理なく楽に行える。
【００４６】
また、図４に示すように、ボス５１の上面５１ａと嵌合凹所２０の底面との間に隙間５２が存在し、かつ、図１１に示したとおり、挿通孔４Ａの内側寄りにピン７との間の僅かな隙間Ｃが形成されているから、開弁時に舌片４０Ａが、図４に二点鎖線で示すように、左右の根元部から大きく開弁できるので、開弁力、つまり息を吹き込む力が小さくて済む。その際、ボス５１が四角柱状である（図１２参照）から、舌片４０Ａがボス５１の広い状面５１ａで支持されて、過度な変形が防止される。
【００４７】
図１１では、挿通孔４Ａに外側スリット３０Ｃが直線状に１つ形成されたものを示したが、図１３に示すように、挿通孔４Ａから斜外側に延びる２つまたは３つ以上の外側スリット３０Ｄを形成してもよい。
【図面の簡単な説明】
【００４８】
【図１】本発明の第１実施形態に係る人工呼吸用補助具の側面図である。
【図２】同じく人工呼吸用補助具で用いるシートを示す平面図である。
【図３】通気用貫通部を示す平面図である。
【図４】同人工呼吸用補助具のマウスピースを示す正面断面図である。
【図５】同人工呼吸用補助具のマウスピースを示す底面図である。
【図６】同マウスピースの上半体の底面図である。
【図７】同マウスピースの下半体の底面図である。
【図８】同マウスピースの下半体の縦断面図である。
【図９】同人工呼吸用補助具の使用状態を説明する概略側面図である。
【図１０】本発明の第２実施形態に係る人工呼吸用補助具で用いるシートを示す平面図である。
【図１１】同シートを示す拡大平面図である。
【図１２】同シートを装着した人工呼吸用補助具のマウスピースを示す底面図である。
【図１３】挿通孔に設けられる外側スリットの変形例を示す拡大平面図である。
【符号の説明】
【００４９】
Ａ  人工呼吸用補助具
ａ  空気
１  シート
２  マウスピース
３（３０）  通気用貫通部（十字状スリット）
３Ａ  通気用貫通部（Ｔ字形スリット）
３０Ａ  縦スリット
３０Ｂ  横スリット
３０Ｃ  外側スリット
３０Ｄ  外側スリット
３０Ｘ  中央連結部
４，４Ａ  挿通孔
５  上半体
６  下半体
７  係合ピン
８  係合孔
９  立壁
１１  通路形成部
１２  通路面
１７  嵌合突起
１７ａ  アール部
２０  嵌合凹所
２１  空気溜り
２２  導入孔
２７  収納室
４０、４０Ａ  舌片
ｆ、α、β  折れ目
【図１】
2008012289.tif 000003
【図２】
2008012289.tif 000004
【図３】
2008012289.tif 000005
【図４】
2008012289.tif 000006
【図５】
2008012289.tif 000007
【図６】
2008012289.tif 000008
【図７】
2008012289.tif 000009
【図８】
2008012289.tif 000010
【図９】
2008012289.tif 000011
【図１０】
2008012289.tif 000012
【図１１】
2008012289.tif 000013
【図１２】
2008012289.tif 000014
【図１３】
2008012289.tif 000015